(57)【要約】【課題】複数種類の光記録媒体を再生可能な光ピックアップ装置を容易で高効率かつ高精度に調整できる光ピックアップ装置の調整用ディスク、調整方法及び製造方法、並びにそれを用いた光再生装置の製造方法を提供する。【解決手段】互いに波長の異なる光を射出する複数の光源と、複数の光源から射出された光の光記録媒体で反射された各々の戻り光を個別に受光する複数の受光部とを有する光ピックアップ装置の調整に用いられる調整用ディスク５１であって、光が入射する光入射面５８と、光入射面５８からの距離が互いに異なる複数層が形成され、複数層のうち少なくとも１層が、光に対して同一層内で複数レベルの反射率を有する光反射膜（５５，５６）と、調整用ディスク５１の面内方向において、互いに異なる層構成の光反射膜（５５，５６），５７で形成された複数の光反射領域α、β、γとを備えるように構成する。【選択図】　　図２
2004039171.tif 000002
【特許請求の範囲】
【請求項１】
互いに波長の異なる光を射出する複数の光源と、前記複数の光源から射出された光の光記録媒体で反射された各々の戻り光を個別に受光する複数の受光部とを有する光ピックアップ装置の調整に用いられる調整用ディスクであって、
前記光が入射する光入射面と、
前記光入射面からの距離が互いに異なる複数層が形成され、前記複数層のうち少なくとも１層が、いずれかの前記光に対して同一層内で複数レベルの反射率を有する光反射膜と、
ディスクの面内方向において、互いに異なる層構成の前記光反射膜で形成された複数の光反射領域と
を備えることを特徴とする光ピックアップ装置の調整用ディスク。
【請求項２】
請求項１記載の光ピックアップ装置の調整用ディスクであって、
前記複数レベルの反射率を有する光反射膜は、他の前記光反射膜のうち少なくとも１つより前記光入射面側に配置されていること
を特徴とする光ピックアップ装置の調整用ディスク。
【請求項３】
請求項１又は２に記載の光ピックアップ装置の調整用ディスクであって、
前記複数の光反射領域のうち少なくとも１つは、複数の前記光反射膜が形成された光反射膜積層領域であり、
前記複数の光反射膜のうち前記光入射面側に配置された光反射膜は、他の前記光反射膜より低い反射率を有していること
を特徴とする光ピックアップ装置の調整用ディスク。
【請求項４】
請求項３記載の光ピックアップ装置の調整用ディスクであって、
前記光反射膜積層領域は、前記複数の光反射膜がいずれも鏡面状に形成されていること
を特徴とする光ピックアップ装置の調整用ディスク。
【請求項５】
請求項３又は４に記載の光ピックアップ装置の調整用ディスクであって、
前記光反射膜積層領域は、複数の前記光反射領域に隣接していること
を特徴とする光ピックアップ装置の調整用ディスク。
【請求項６】
請求項１乃至５のいずれか１項に記載の光ピックアップ装置の調整用ディスクであって、
前記光反射膜は、複数の光記録媒体のフォーマットに対応するピットを同一層内に有していること
を特徴とする光ピックアップ装置の調整用ディスク。
【請求項７】
請求項１乃至６のいずれか１項に記載の光ピックアップ装置の調整用ディスクであって、
前記複数の光源は２つであること
を特徴とする光ピックアップ装置の調整用ディスク。
【請求項８】
互いに波長の異なる光を射出する複数の光源と、前記複数の光源から射出された光の光記録媒体で反射された各々の戻り光を個別に受光する複数の受光部とを有する光ピックアップ装置の調整方法であって、
請求項１乃至７のいずれか１項に記載の光ピックアップ装置の調整用ディスクを用い、
前記光反射膜積層領域に、前記複数の光源のうち少なくとも２つから同時に前記光を射出すること
を特徴とする光ピックアップ装置の調整方法。
【請求項９】
互いに波長の異なる光を射出する複数の光源と、前記複数の光源から射出された光の光記録媒体で反射された各々の戻り光を個別に受光する複数の受光部とを有する光ピックアップ装置の調整方法であって、
前記複数の光源のうち少なくとも２つから同時に前記光を射出すること
を特徴とする光ピックアップ装置の調整方法。
【請求項１０】
互いに波長の異なる光を射出する複数の光源と、前記複数の光源から射出された光の光記録媒体で反射された各々の戻り光を個別に受光する複数の受光部とを有する光ピックアップ装置の製造方法であって、
請求項８又は９に記載の光ピックアップ装置の調整方法を用いること
を特徴とする光ピックアップ装置の製造方法。
【請求項１１】
互いに波長の異なる光を射出する複数の光源と、前記複数の光源から射出された光の光記録媒体で反射された各々の戻り光を個別に受光する複数の受光部とを有する光ピックアップ装置を備えた光再生装置の製造方法であって、
請求項８又は９に記載の光ピックアップ装置の調整方法を用いること
を特徴とする光再生装置の製造方法。
【発明の詳細な説明】
【０００１】
【発明の属する技術分野】
本発明は、種類の異なる光記録媒体に対応して波長の異なる光を射出する複数の光源を備えるとともに各光記録媒体に対応して複数の受光部を備えた光ピックアップ装置の調整用ディスク、調整方法及び製造方法、並びにそれを用いた光再生装置の製造方法に関する。
【０００２】
【従来の技術】
特開２０００−２０７７６６号公報には、波長の異なる複数の光源と、複数の光源から射出して光記録媒体で反射した各々の戻り光を個別に受光する複数の受光部パターンを同一基板上に形成した光検出器と、複数の光源から光検出器に至る光路を共有する光学系とを備えた光ピックアップ装置およびそれを備えた光記録再生装置が記載されている。
【０００３】
上記公報には、複数の受光部パターンを同一基板上に形成することで、各々の受光部パターンが高精度な相対位置精度を有することにより、複数の光源から射出された波長の異なる光が光記録媒体で反射された各々の戻り光を受光部パターンに高精度に導くことが可能となり、種類の異なる光記録媒体に対して高品質の再生信号や記録信号を得ることが可能であることが記載されている。また、上記公報には、複数の光源を同一の半導体基板に構成すれば、光源の間隔を高精度で位置決めすることができることが記載されている。
【０００４】
【発明が解決しようとする課題】
このような光ピックアップ装置は、例えばアルミダイキャスト製の光学ベース（ハウジング：筺体）に、２波長半導体レーザ、光検出器（フォトダイオード集積回路：ＰＤ−ＩＣ）及び光学系を構成する各種部材を取り付けて製作される。この際に、光源である２波長半導体レーザや、受光部である光検出器及び各種光学系部品の取付位置を調整する必要がある。
【０００５】
特に、受光部である光検出器の取付けに際しては、光検出器を載置した受光部取付板（光検出器取付板）を光学ベースの受光部取付面に当接させた状態で、各光記録媒体からの戻り光（読み出し光，反射光）のスポットが各光記録媒体に対応した各受光部上に結像するように受光部取付板の位置を調整する。位置調整が完了した状態で、受光部取付板を例えば接着等によって光学ベースに固定する。
【０００６】
このとき、波長の異なる複数の光源を備えた光ピックアップ装置では、各光源毎に受光部の位置調整を行う必要がある。まず一方の光源からレーザ光を射出させ、一方の受光部の位置を調整する。次に、他方の光源からレーザ光を射出させ、他方の受光部の位置を調整する。このため、光ピックアップ装置の取付位置を調整する工程が煩雑になってしまうという問題が生じる。
【０００７】
特開平１０−６９６４７号公報には、レーザビームにより光再生可能な第１のフォーマットで記録された第１信号記録面と、レーザビームにより光再生可能な第２のフォーマットで記録された第２信号記録面とを含み、第１及び第２の信号記録面を同一の方向から再生できる光記録媒体及びそれを用いた光ピックアップ装置の調整方法について開示されている。
【０００８】
上記公報には、コンパクト・ディスク（ＣＤ）系及びデジタル・バーサタイル・ディスク（ＤＶＤ）系の２種の光ディスクの互換再生の可能な光ピックアップが実際に両光ディスクを再生できるか否かを検査するための光ディスクについて記載されている。この検査用光ディスクを受光部の位置調整を行う際に用いれば、波長の異なる複数の光源に対応する各受光部の位置調整を容易に行うことができる。しかしながら、ＣＤ側の受光部の位置調整を行う際と、ＤＶＤ側の受光部の位置調整を行う際との間では、検査用光ディスクと光ピックアップ装置とを相対的に移動させている。このため、光ディスク又は光ピックアップ装置の移動に伴って生じる振動等により、位置調整された光検出器が移動してずれてしまうおそれがある。
【０００９】
また、上記の検査用光ディスクでは、光検出器を位置調整する際に、信号記録面の情報信号を読み出すためノイズが増加して光検出器の位置調整が困難になり、光検出器の位置精度が低下してしまうという問題が生じる。
【００１０】
本発明の目的は、複数種類の光記録媒体を再生可能な光ピックアップ装置を容易で高効率かつ高精度に調整できる光ピックアップ装置の調整用ディスク、調整方法及び製造方法、並びにそれを用いた光再生装置の製造方法を提供することにある。
【００１１】
【課題を解決するための手段】
上記目的は、互いに波長の異なる光を射出する複数の光源と、前記複数の光源から射出された光の光記録媒体で反射された各々の戻り光を個別に受光する複数の受光部とを有する光ピックアップ装置の調整に用いられる調整用ディスクであって、前記光が入射する光入射面と、前記光入射面からの距離が互いに異なる複数層が形成され、前記複数層のうち少なくとも１層が、いずれかの前記光に対して同一層内で複数レベルの反射率を有する光反射膜と、ディスクの面内方向において、互いに異なる層構成の前記光反射膜で形成された複数の光反射領域とを備えることを特徴とする光ピックアップ装置の調整用ディスクによって達成される。
【００１２】
上記本発明の光ピックアップ装置の調整用ディスクであって、前記複数レベルの反射率を有する光反射膜は、他の前記光反射膜のうち少なくとも１つより前記光入射面側に配置されていることを特徴とする。
【００１３】
上記本発明の光ピックアップ装置の調整用ディスクであって、前記複数の光反射領域のうち少なくとも１つは、複数の前記光反射膜が形成された光反射膜積層領域であり、前記複数の光反射膜のうち前記光入射面側に配置された光反射膜は、他の前記光反射膜より低い反射率を有していることを特徴とする。
【００１４】
上記本発明の光ピックアップ装置の調整用ディスクであって、前記光反射膜積層領域は、前記複数の光反射膜がいずれも鏡面状に形成されていることを特徴とする。
【００１５】
上記本発明の光ピックアップ装置の調整用ディスクであって、前記光反射膜積層領域は、複数の前記光反射領域に隣接していることを特徴とする。
【００１６】
上記本発明の光ピックアップ装置の調整用ディスクであって、前記光反射膜は、複数の光記録媒体のフォーマットに対応するピットを同一層内に有していることを特徴とする。
【００１７】
上記本発明の光ピックアップ装置の調整用ディスクであって、前記複数の光源は２つであることを特徴とする。
【００１８】
また、上記目的は、互いに波長の異なる光を射出する複数の光源と、前記複数の光源から射出された光の光記録媒体で反射された各々の戻り光を個別に受光する複数の受光部とを有する光ピックアップ装置の調整方法であって、上記本発明の光ピックアップ装置の調整用ディスクを用い、前記光反射膜積層領域に、前記複数の光源のうち少なくとも２つから同時に前記光を射出することを特徴とする光ピックアップ装置の調整方法によって達成される。
【００１９】
さらに、上記目的は、互いに波長の異なる光を射出する複数の光源と、前記複数の光源から射出された光の光記録媒体で反射された各々の戻り光を個別に受光する複数の受光部とを有する光ピックアップ装置の調整方法であって、前記複数の光源のうち少なくとも２つから同時に前記光を射出することを特徴とする光ピックアップ装置の調整方法によって達成される。
【００２０】
また、上記目的は、互いに波長の異なる光を射出する複数の光源と、前記複数の光源から射出された光の光記録媒体で反射された各々の戻り光を個別に受光する複数の受光部とを有する光ピックアップ装置の製造方法であって、上記本発明の光ピックアップ装置の調整方法を用いることを特徴とする光ピックアップ装置の製造方法によって達成される。
【００２１】
さらに、上記目的は、互いに波長の異なる光を射出する複数の光源と、前記複数の光源から射出された光の光記録媒体で反射された各々の戻り光を個別に受光する複数の受光部とを有する光ピックアップ装置を備えた光再生装置の製造方法であって、上記本発明の光ピックアップ装置の調整方法を用いることを特徴とする光再生装置の製造方法によって達成される。
【００２２】
【発明の実施の形態】
本発明の一実施の形態による光ピックアップ装置の調整用ディスク、調整方法及び製造方法、並びにそれを用いた光再生装置の製造方法について図１乃至図１６を用いて説明する。図１は、本実施の形態による光ピックアップ装置の調整用ディスクを光の入射する光入射面側から見た構成を示している。図２は、図１のＡ−Ａ線で切断した調整用ディスクの半径方向の断面図である。図２では、光入射面が下方に配置されている。
【００２３】
図１及び図２に示すように、調整用ディスク５１は、直径１２０ｍｍで厚さ０．６ｍｍの円板状の２枚の透明基板５２，５３が、紫外線硬化型樹脂からなる厚さ１０μｍの接着層５４を介して貼り合わされて作製されている。透明基板５２，５３は、ポリカーボネート等で形成されている。調整用ディスク５１の中心部には中心穴部５９が形成されている。
【００２４】
また、調整用ディスク５１を光入射面５８に垂直方向に見ると、ディスクの面内方向（半径方向）に３つの光反射領域α，β，γに分割されている。光反射領域αは例えば半径２４ｍｍから４０ｍｍまでの範囲であり、光反射領域βは例えば半径４０ｍｍから４５ｍｍまでの範囲である。光反射領域γは例えば半径４５ｍｍから５８ｍｍまでの範囲である。透明基板５２の裏面（信号面：図２では上方）には、例えば膜厚１００ｎｍのアルミニウム（Ａｌ）からなる光反射膜５５が光反射領域αに形成され、例えば膜厚１５ｎｍのＡｌからなる光反射膜５６が光反射領域βに形成されている。透明基板５２の裏面の光反射領域γには、光反射膜が形成されていない。光反射膜５６は、光反射膜５５に比較して光の反射率が低くなっている。
【００２５】
透明基板５３の裏面（信号面：図２では上方）には、例えば膜厚１００ｎｍのＡｌからなる光反射膜５７が光反射領域β，γに形成されている。透明基板５３の裏面の光反射領域αには光反射膜が形成されていない。このように光反射領域α，β，γは、光入射面５８に垂直方向に見ると、ディスクの面内方向において、互いに異なる層構成で形成されている。光反射領域βは、２層の光反射膜５６，５７が形成された光反射膜積層領域になっている。光入射面５８側の光反射膜５６は、光反射膜５７よりも反射率が低くなるように形成されている。光反射膜積層領域である光反射領域βは、他の光反射領域α、γに隣接している。すなわち光反射膜は、光入射面からの距離が互いに異なる２層が形成されている。また、そのうちの１層である光反射膜５５，５６は、同一層内で複数レベルの反射率を有している。
【００２６】
透明基板５２裏面の光反射領域αには、ＤＶＤ−ＲＯＭフォーマットの信号に対応するピット（凹凸）が形成されている。透明基板５２裏面の光反射領域β，γにはピットが形成されていない。このため、光反射膜５６は鏡面状に形成されている。また、透明基板５３裏面の光反射領域γには、ＣＤフォーマットの信号に対応するピットが形成されている。透明基板５３裏面の光反射領域α，βにはピットが形成されていない。このため、光反射領域βの光反射膜５７は鏡面状に形成されている。
【００２７】
調整用ディスク５１の各光反射領域α，β，γでの反射率（受・発光量比）は以下のようになっている。ＤＶＤ再生用のレーザ光の波長λ１を６５５ｎｍとし、ＣＤ再生用のレーザ光の波長λ２を７８５ｎｍとする。また、透明基板５２をレーザ光が透過する際（透明基板５２表面での反射を含む）の光量の損失と、透明基板５３及び接着層５４をレーザ光が透過する際（透明基板５３表面での反射を含む）の光量の損失を各５％程度とする。すなわち、光入射面５８から入射して光反射膜５５，５６で反射し、光入射面５８から射出する光は、光入射面５８に入射する光に比較して１０％程度光量が減少する。同様に、光入射面５８から入射して光反射膜５７で反射し、光入射面５８から射出する光は、光入射面５８に入射する光に比較して２０％程度光量が減少する。
【００２８】
調整用ディスク５１の光反射領域αでの反射率は、光反射膜５５での反射率を９０％として上記１０％程度の光量減少を考慮すると８１％になる。また、調整用ディスク５１の光反射領域γでの反射率は、光反射膜５７での反射率を９０％として上記２０％程度の光量減少を考慮すると７２％になる。
【００２９】
表１は、光反射膜５６での波長λ１，λ２の光に対する反射率及び透過率を示している。表１に示すように、光反射膜５６での波長λ１の光に対する反射率をＲ１ｄとし、波長λ２の光に対する反射率をＲ２ｄとする。また、光反射膜５６での波長λ１の光に対する透過率をＴ１ｄ（＝１−Ｒ１ｄ）とし、波長λ２の光に対する透過率をＴ２ｄ（＝１−Ｒ２ｄ）とする。光反射膜５６が波長依存性のない材料で形成されていればＲ１ｄ＝Ｒ２ｄ、Ｔ１ｄ＝Ｔ２ｄになる。
【００３０】
【表１】
2004039171.tif 000003
【００３１】
表２は、光反射膜５７での波長λ１，λ２の光に対する反射率及び透過率を示している。表２に示すように、光反射膜５７での波長λ１の光に対する反射率をＲ１ｃとし、波長λ２の光に対する反射率をＲ２ｃとする。また、光反射膜５７での波長λ１の光に対する透過率をＴ１ｃ（＝１−Ｒ１ｃ）とし、波長λ２の光に対する透過率をＴ２ｃ（＝１−Ｒ２ｃ）とする。光反射膜５７が波長依存性のないＡｌ等の材料で形成されていればＲ１ｃ＝Ｒ２ｃ、Ｔ１ｃ＝Ｔ２ｃになる。
【００３２】
【表２】
2004039171.tif 000004
【００３３】
調整用ディスク５１の光反射領域βでの反射率を波長λ１の光に対してＲａとし、波長λ２の光に対してＲｂとすると、
Ｒａ＝０．９×Ｒ１ｄ
Ｒｂ＝０．８×（Ｔ２ｄ）２×Ｒ２ｃ
となる。すなわち、反射率Ｒ１ｄ＝３０％、透過率Ｔ２ｄ＝７０％、反射率Ｒ２ｃ＝９０％とすると、調整用ディスク５１の光反射領域βでの波長λ１の光に対する反射率Ｒａは２７％になり、波長λ２の光に対する反射率Ｒｂは３５％になる。なお、反射率Ｒａ，Ｒｂの値には好適な範囲や互いの大小関係の限定はない。反射率Ｒａ，Ｒｂは、各光検出器で検出可能な受光量が得られるような値になっていればよい。
【００３４】
次に、本実施の形態による光ピックアップ装置の調整用ディスクの製造方法について説明する。まず、直径１２０ｍｍで厚さ０．６ｍｍの円板状の透明基板５２，５３を射出成形により作製する。このとき透明基板５２の裏面（信号面）には、光反射領域αにＤＶＤ−ＲＯＭ用の信号のピットが形成される。透明基板５３の裏面（信号面）には、光反射領域γにＣＤ−ＲＯＭ用の信号のピットが形成される。
【００３５】
透明基板５２の信号面の光反射領域α及び光反射領域βが露出するマスクを用いて、透明基板５２の信号面上に例えば膜厚１５ｎｍのＡｌ膜をスパッタリング法により成膜する。次に、光反射領域αが露出するマスクを用いて、例えば膜厚８５ｎｍのＡｌ膜をスパッタリング法によりさらに成膜する。これにより、膜厚１００ｎｍの光反射膜５５と膜厚１５ｎｍの光反射膜５６とが形成される。次に、透明基板５３の信号面の光反射領域β及び光反射領域γが露出するマスクを用いて、透明基板５３の信号面上に例えば膜厚１００ｎｍのＡｌ膜をスパッタリング法により成膜する。これにより、膜厚１００ｎｍの光反射膜５７が形成される。
【００３６】
次に、透明基板５２の信号面の全面に、例えば厚さ１０μｍの紫外線硬化型接着剤を塗布し、接着層５４を形成する。次に、接着層５４上に透明基板５３の表面（非信号面：図２では下方）を重ね合わせる。次に、紫外線を照射して接着層５４を硬化させ、透明基板５２、５３を貼り合わせる。以上の手順を経て、光ピックアップ装置の調整用ディスク５１が完成する。また、必要に応じ、光反射膜５７の上に保護コートを施してもよい。
【００３７】
次に、本実施の形態による光ピックアップ装置の調整用ディスクを用いた光ピックアップ装置の調整方法及び製造方法並びに光再生装置の製造方法について説明する。まず、光ピックアップ装置の構成について説明する。図３は本実施の形態による光ピックアップ装置の模式構造図である。本実施の形態による光ピックアップ装置１０は、ＣＤ−Ｒ等を含む各種のＣＤ１ａ及び各種のＤＶＤ（ＤＶＤ−ＲＯＭ，ＤＶＤ−ＲＡＭ等）１ｂなど種類の異なる光記録媒体に対応できるようになっている。光ピックアップ装置１０は、２波長半導体レーザ（レーザダイオード：ＬＤ）１１と、位相差板１２と、２波長半導体レーザ１１側から順に配置された回折格子１３ａ，１３ｂと、ビームスプリッタ１４と、コリメータレンズ１５と、図示を省略した立ち上げミラーと、対物レンズ１６と、光検出器取付板１７に取り付けられた光検出器（ＰＤ−ＩＣ：フォトダイオード集積回路）１８とを有している。
【００３８】
２波長半導体レーザ１１は、ＣＤ再生用の波長７８５ｎｍのレーザ光とＤＶＤ再生用の波長６５５ｎｍのレーザ光を出力する。この２波長半導体レーザ１１の光出力は再生クラス（例えば５ｍＷ）である。この２波長半導体レーザ１１は、半導体基板（半導体レーザ本体）が金属製等の筺体（ケース：不図示）に封止されており、筺体に設けられたレーザ窓部から各レーザ光を射出するようになっている。不図示のバックモニタで２波長半導体レーザ１１の光出力量を検知し、２波長半導体レーザ１１に供給する電力をフィードバック制御することで光出力量を自動制御（ＡＰＣ：自動パワーコントロール）するようになっている。
【００３９】
図４は光源を構成する２波長半導体レーザ１１の概略構造を示す斜視図である。図４は半導体基板を封止する筺体を除いて、半導体レーザの本体部のみを示している。２波長半導体レーザ１１は、例えばガリウム砒素（ＧａＡｓ）半導体基板１１ａ上に波長７８５ｎｍ用光導波路（第１の光導波路）１１ｂ及び波長６５５ｎｍ用光導波路（第２の光導波路）１１ｃが所定の間隔（例えば１１０μｍ）で形成されている。光導波路１１ｂの端部は第１の発光点１１ｄになっており、光導波路１１ｃの端部は第２の発光点１１ｅになっている。第１の発光点（ＣＤ用発光点）１１ｄからは波長７８５ｎｍのレーザ光が射出され、第２の発光点（ＤＶＤ用発光点）１１ｅからは波長６５５ｎｍのレーザ光が射出される。符号ＬＡは２つの光源の発光点の間隔である。２波長半導体レーザ１１はフォトリソグラフィ工程で製造されるため、間隔ＬＡは高精度に形成され誤差が少ない。
【００４０】
各発光点１１ｄ，１１ｅから射出されたレーザ光は不図示の筺体に形成されたレーザ窓から筺体外部へ射出される。この２波長半導体レーザ１１は、波長６５５ｎｍ（ＤＶＤ用）のレーザ光を自励発振モードで発振させ、波長７８５ｎｍ（ＣＤ用）のレーザ光をゲインガイド型マルチモードで発振させる。なお、２波長半導体レーザ１１は、各波長のレーザ光をシングルモードで発振させるものでもよい。
【００４１】
図３に示す位相差板１２は１／４波長板であり、位相差板１２により直線偏光の光ビームを円偏光に変換する。一般にＤＶＤの高速再生には円偏光が望ましいとされている。本実施の形態では、位相差板１２として薄いガラス板の機能性フィルムを貼り付けたものを用いている。位相差板１２は、直線偏光の偏光面に対し光学軸が４５°傾くように設置されている。
【００４２】
回折格子１３ａは、例えば２波長半導体レーザ１１側の面にＤＶＤ用の格子面が形成され、回折格子１３ｂは、ビームスプリッタ１４側の面にＣＤ用の格子面が形成されている。回折格子１３ａ，１３ｂでの分割光量比率は、ＤＶＤ／ＣＤともに例えば、１（＋１次光）：６（０次光）：１（−１次光）である。格子ピッチは、例えばＤＶＤ側が２１．２μｍ、ＣＤ側が３１．０μｍである。ＤＶＤ格子面はＣＤ波長（７８５ｎｍ）では回折しないように、また、ＣＤ格子面はＤＶＤ波長（６５５ｎｍ）では回折しないように波長選択性を持たせている。この排他的な作用（波長選択性）は、通常の回折格子よりも溝深さを深くするとともに、格子間隔のデューティ比を０．５からずらした格子形状とすることで実現している。
【００４３】
ビームスプリッタ１４は、２波長半導体レーザ１１側からの光ビームを光記録媒体方向へ反射させ、また、光記録媒体からの反射光を光検出器１８側へ透過させるハーフミラーの機能を有している。本実施の形態では、平板形状のビームスプリッタ板（ＢＳ板）を用いている。
【００４４】
コリメータレンズ１５は、光源である２波長半導体レーザ１１からの発散光線束を平行光線束に変換して対物レンズ１６に導くとともに、対物レンズ１６からの平行光線束を集束光線束に変換して光検出器１８へ導く。本実施の形態では、プラスチック射出成形による両面が非球面型のコリメータレンズを用いている。
【００４５】
図示を省略した立ち上げミラーは、コリメータレンズ１５からの平行光線束を対物レンズ１６の方向へ反射させ、また、対物レンズ１６からの平行光線束をコリメータレンズ１５側へ反射させる。本実施の形態では立ち上げミラーとして平面状のミラーを用いている。折り曲げ角度（反射角度）は約９０°である。
【００４６】
図５は対物レンズの構造図であり、図５（ａ）は正面図を示し、図５（ｂ）は側面図を示している。なお、図５（ｂ）では各光ディスク１ａ，１ｂの側面も併せて示している。なお、図５（ｂ）において、符号ＫａはＣＤ１ａの情報記録面、符号ＫｂはＤＶＤ１ｂの情報記録面である。符号ｔａはＣＤ１ａの厚さ（ｔａ＝１．２ｍｍ）、符号ｔｂはＤＶＤ１ｂの厚さ（ｔｂ＝０．６ｍｍ）である。
【００４７】
本実施の形態による光ピックアップ装置１０では、対物レンズ１６として２重焦点回折型の対物レンズを用いている。この対物レンズ（２重焦点回折対物レンズ）１６は、光学プラスチック材料を射出成形して製作されている。図５（ｂ）に示すように、対物レンズ１６は両面が非球面に形成されている。図５（ａ）に示すように、曲率の大きいレンズ面（立ち上げミラー側、すなわち光ディスクとは反対側）には、断面が鋸歯状の多数の同心円輪帯１６ｃからなる回折格子が形成されている。なお、当該回折格子に代えてホログラフィック回折格子をレンズ面に形成してもよい。同心円輪帯１６ｃのレンズ面中心側領域はＣＤ／ＤＶＤ兼用領域１６ａであり、その外周側の領域はＤＶＤ専用領域１６ｂである。対物レンズ１６はＣＤ用（波長７８５ｎｍ）の光ビームをＣＤ１ａの情報記録面Ｋａに集束させ、また、ＤＶＤ用（波長６５５ｎｍ）の光ビームをＤＶＤ１ｂの情報記録面Ｋｂに集束させる。
【００４８】
各光ディスク１ａ，１ｂの情報記録面Ｋａ，Ｋｂは、ポリカーボネート等からなる保護膜（透明基板）で保護されている。保護膜の厚さ（ほぼ光記録媒体の厚さに相当する）は光記録媒体の種類毎に異なる。保護膜の厚さに依存して入射光の球面収差が変化するので、光記録媒体の種類に応じて球面収差の量も異なる。そこで、２重焦点回折の対物レンズ１６を用いることで、光記録媒体の種類による球面収差の相違を補正するようにしている。
【００４９】
なお、対物レンズ１６は不図示のアクチュエータ組立（アクチュエータアッセンブリ）上にフォーカス方向及びトラッキング方向（光記録媒体のラジアル方向）に移動自在に保持されている。そして、フォーカスサーボ制御及びトラッキングサーボ制御によって対物レンズ１６の位置が制御され、光ビームのスポットを光記録媒体上の読み取り点に追従させることができるようになっている。
【００５０】
図３に示すように、２波長半導体レーザ１１から射出された直線偏光の光ビーム（レーザ光）は、位相差板１２で偏光方向を変えられた後に順次回折格子１３ａ，１３ｂに入射し、トラッキング用の２つのサブビーム（＋１次光，−１次光）と、ＲＦ検出用及びフォーカシング用のメインビーム（０次光）とがビームスプリッタ１４に入射する。ビームスプリッタ１４に入射したメインビーム及び各サブビームのそれぞれの約半分の光量の光はビームスプリッタ１４で反射して進行方向が９０°曲げられてコリメータレンズ１５側へ射出する。コリメータレンズ１５に入射するメインビーム及び各サブビームは発散光線束である。
【００５１】
光検出器１８は、ＣＤ１ａからの反射光（ＣＤ用）の受光部１８ａと、ＤＶＤ１ｂからの反射光（ＤＶＤ用）の受光部１８ｂとを備えている。図中の符号ＬＢは各受光部１８ａ，１８ｂの間隔を示している。光検出器１８は、メインビーム及びサブビームをそれぞれ受光してメインビーム及びサブビームのそれぞれに対応した電流信号に変換する受光部（ＰＤ：フォトダイオード部又はフォトディテクト部）と、受光部で発生した電流信号を電圧信号に変換して所定の演算を施して各種信号（再生信号（ＲＦ信号）、フォーカス誤差信号（ＦＥＳ）、トラッキング誤差信号等）を生成・出力する演算部（ＩＣ部）とを有している。本実施の形態では、受光部及び演算部（ＩＣ部）をモノリシックＩＣで構成し、このモノリシックＩＣを例えば１４ピンのＣＯＢ（チップ・オン・ボード）パッケージに封入している。
【００５２】
図６は光検出器の受光部の受光素子パターン構成を示している。図６中の符号ＬＢは、ＣＤ用受光部１８ａの中心点とＤＶＤ用受光部１８ｂの中心点との間隔である。ＣＤ用受光部１８ａは、メインビーム受光素子パターン部１８ａ１と、第１のサブビーム受光素子パターン部１８ａ２と、第２のサブビーム受光素子パターン部１８ａ３とを備える。メインビーム受光素子パターン部１８ａ１は、田の字状に４分割された４個のメインビーム受光素子パターンＡ，Ｂ，Ｃ，Ｄを有している。
【００５３】
ＣＤ用受光部１８ａの第１のサブビーム受光素子パターン部１８ａ２は、図示の上下方向に２分割された各サブビーム受光素子パターンＥ１，Ｅ２を有している。メインビーム受光素子パターン部１８ａ１に近い側のサブビーム受光素子パターンＥ１は、遠い側のサブビーム受光素子パターンＥ２よりも面積が広く設定されている。この第１のサブビーム受光素子パターン部１８ａ２は、メインビーム受光素子パターン部１８ａ１に対して図示左方向に少しずらして配置されている。
【００５４】
ＣＤ用受光部１８ａの第２のサブビーム受光素子パターン部１８ａ３は、図示の上下方向に２分割された各サブビーム受光素子パターンＦ１，Ｆ２を有している。メインビーム受光素子パターン部１８ａ１に近い側のサブビーム受光素子パターンＦ２は、遠い側のサブビーム受光素子パターンＦ２よりも面積が広く設定されている。この第２のサブビーム受光素子パターン部１８ａ３は、メインビーム受光素子パターン部１８ａ１に対して図示右方向に少しずらして配置されている。なお、本実施の形態では、各受光素子パターン部内における各受光素子パターンの分割間隔はそれぞれ４μｍ程度としている。
【００５５】
ＤＶＤ用受光部１８ｂは、メインビーム受光素子パターン部１８ｂ１と、第１のサブビーム受光素子パターン部１８ｂ２と、第２のサブビーム受光素子パターン部１８ｂ３とを備える。メインビーム受光素子パターン部１８ｂ１は、田の字状に４分割された４個のメインビーム受光素子パターンａ，ｂ，ｃ，ｄを有している。
【００５６】
ＤＶＤ用受光部１８ｂの第１のサブビーム受光素子パターン部１８ｂ２は、田の字状に４分割された４個のサブビーム受光素子パターンｅ１，ｅ２，ｅ３，ｅ４を有している。この第１のサブビーム受光素子パターン部１８ｂ２は、メインビーム受光素子パターン部１８ｂ１に対して図示左方向に少しずらして配置されている。第２のサブビーム受光素子パターン部１８ｂ３は、田の字状に４分割された４個のサブビーム受光素子パターンｆ１，ｆ２，ｆ３，ｆ４を有している。この第２のサブビーム受光素子パターン部１８ｂ３は、メインビーム受光素子パターン部１８ｂ１に対して図示右方向に少しずらして配置されている。なお、本実施の形態では、各受光素子パターン部内における各受光素子パターンの分割間隔はそれぞれ４μｍ程度としている。
【００５７】
さらに、ＤＶＤ用受光部１８ｂのメインビーム受光素子パターン部１８ｂ１は、ＣＤ用受光部１８ａ１のメインビーム受光素子パターン部１８ａ１に対して図中下方向に少しずらして配置されている。
【００５８】
図７は光検出器１８の動作様式の説明図である。図７は光記録媒体の種類（ＤＶＤ−ＲＯＭ，ＤＶＤ−ＲＡＭ，ＣＤ−ＲＯＭ及びＣＤ−ＲＷの３区分）と、再生に使用する受光素子と、フォーカス誤差検出方法及びトラッキング誤差検出方法との関係を表形式に示したものである。なお、図７では光ビームスポットを表す丸印を付けることで再生に使用する受光素子を示している。
【００５９】
ＤＶＤ−ＲＯＭを再生する場合は、ＤＶＤ用受光部のメインビーム受光素子パターンａ，ｂ，ｃ，ｄのみを使用する。フォーカス誤差検出（ＦＥＳ）は非点収差法を用いて行う。各受光素子パターンａ，ｂ，ｃ，ｄの出力をそれぞれＶａ，Ｖｂ，Ｖｃ，Ｖｄとすると、非点収差法によるフォーカス誤差検出出力ＦＥＳは次式で示される。
ＦＥＳ＝（Ｖａ＋Ｖｃ）−（Ｖｂ＋Ｖｄ）
【００６０】
ＤＶＤ−ＲＯＭの再生に際してトラッキング誤差検出（ＲＥＳ）は位相差法を用いて行う。位相差法は、トラックずれが生じるとピットによる振幅変調に加えて位相変調も検出できることを利用してトラッキング誤差を検出する。なお、ＤＶＤ−ＲＯＭのみを再生する場合は、サブビームが不要であるので回折格子１３ａ，１３ｂは不要である。
【００６１】
ＤＶＤ−ＲＡＭを再生する場合は、ＤＶＤ用受光部の全ての受光素子パターンを使用する。フォーカス誤差検出（ＦＥＳ）は差動非点収差法を用いて行う。ＤＶＤ−ＲＡＭはディスク面に形成されたランドとグルーブが等幅であり、通常の非点収差法では溝横断ノイズが発生する。この溝横断ノイズはメインビームとサブビームで逆位相となるので、メインビームによる検出出力とサブビームによる検出出力を加算することで溝横断ノイズを除去することができる。そこで、メインビームとサブビームの双方を用いて非点収差検出を行う。各受光素子パターンａ〜ｄ，ｅ１〜ｅ４，ｆ１〜ｆ４の出力をそれぞれＶａ〜Ｖｄ，Ｖｅ１〜Ｖｅ４，Ｖｆ１〜Ｖｆ４とすると、差動非点収差法（ＤＡＤ）によるフォーカス誤差検出出力ＤＡＤ−ＦＥＳは次式で示される。なお、次式において、ｋは係数である。
ＤＡＤ−ＦＥＳ＝｛（Ｖａ＋Ｖｃ）−（Ｖｂ＋Ｖｄ）｝＋ｋ｛（Ｖｆ１＋Ｖｆ３＋Ｖｅ１＋Ｖｅ３）−（Ｖｆ２＋Ｖｆ４＋Ｖｅ２＋Ｖｅ４）｝
【００６２】
ＤＶＤ−ＲＡＭの再生に際してトラッキング誤差（ＲＥＳ）の検出は差動プッシュプル法を用いて行う。また、ＤＶＤ−ＲＡＭは千鳥状のエンボスピットによって記録されたアドレス情報（ＣＡＰＡ）を再生するためにプッシュプル出力が必要である。一方、単純プッシュプル法は、メインビームのみでトラッキング誤差を検出するため調整が簡単であるがラジアルシフト特性が悪い。差動プッシュプル法（ＤＰＰ）は、メインビームのプッシュプル出力とサブビームのプッシュプル出力とがラジアルシフトにオフセットを生じた場合でも、サブビームのプッシュプル出力波形を上下反転させて同相の２信号を加算することで、ラジアルシフト特性が改善された良好なトラッキング誤差出力を得るものである。なお、この差動プッシュプル法では、各サブビームがメインビームに対してそれぞれ１トラック周期の分ずれていることが前提条件となる。
【００６３】
ＣＤ−ＲＯＭ及びＣＤ−ＲＷを再生する場合は、ＣＤ用受光部の各受光素子パターンＡ，Ｂ，Ｃ，Ｄ，Ｅ１，Ｅ２，Ｆ１，Ｆ２を使用する。フォーカス誤差検出（ＦＥＳ）は非点収差法を用いて行う。各受光素子パターンＡ，Ｂ，Ｃ，Ｄの出力をそれぞれＶＡ，ＶＢ，ＶＣ，ＶＤとすると、非点収差法によるフォーカス誤差検出出力ＦＥＳは次式で示される。
ＦＥＳ＝（ＶＡ＋ＶＣ）−（ＶＢ＋ＶＤ）
【００６４】
ＣＤ−ＲＯＭ及びＣＤ−ＲＷの再生に際してトラッキング誤差検出（ＲＥＳ）は３ビーム法を用いて行う。この３ビーム法はＣＤのトラッキング検出法として広く用いられている。各サブビームはメイントラックに対してそれぞれトラックピッチの１／４ピッチ分ずつずれて配置される。各受光素子パターンＥ１，Ｅ２，Ｆ１，Ｆ２の出力をそれぞれＶＥ１，ＶＥ２，ＶＦ１，ＶＦ２とすると、３ビーム法によるトラッキング誤差検出出力（ＲＥＳ）は次式で示される。
ＦＥＳ＝（ＶＥ１＋ＶＥ２）−（ＶＦ１＋ＶＦ２）
【００６５】
なお、３ビーム法では、第１のサブビームの受光素子パターン部を各サブビーム受光素子パターンＥ１，Ｅ２に２分割しなくてもよく、同様に第２のサブビームの受光素子パターン部を各サブビーム受光素子パターンＦ１，Ｆ２に２分割しなくてもよい。
【００６６】
コリメータレンズ１５は、ビームスプリッタ１４側から入射した光ビーム（発散光線束）を平行光線束に変換する。コリメータレンズ１５から射出した光ビーム（平行光線束）は、図示を省略した立ち上げミラーによって光ビームの進行方向が光記録媒体１ａ，１ｂのディスク面（情報記録面）にほぼ直交する方向へ変更され、対物レンズ１６に入射する。光ビーム（平行光線束）は、対物レンズ１６で集束光線束となり、各光記録媒体１ａ，１ｂの情報記録面にスポット光として照射される。
【００６７】
各光記録媒体１ａ，１ｂで反射された反射光は、対物レンズ１６、不図示の立ち上げミラー、コリメータレンズ１５の順でビームスプリッタ１４に至り、約半分の光量の光がビームスプリッタ１４を透過する。ビームスプリッタ１４を透過した光は光検出器１８へ至り、光検出器１８で電気信号へ変換される。
【００６８】
図８は本実施の形態による光ピックアップ装置１０を搭載した光再生装置１５０の概略構成を示している。光再生装置１５０は、図８に示すように光記録媒体１００を回転させるためのスピンドルモータ１５２と、光記録媒体１００にレーザビームを照射するとともにその反射光を受光する光ピックアップ装置１０と、スピンドルモータ１５２及び光ピックアップ装置１０の動作を制御するコントローラ１５４と、光ピックアップ装置１０にレーザ駆動信号を供給するレーザ駆動回路１５５と、光ピックアップ装置１０にレンズ駆動信号を供給するレンズ駆動回路１５６とを備えている。
【００６９】
コントローラ１５４にはフォーカスサーボ追従回路１５７、トラッキングサーボ追従回路１５８及びレーザコントロール回路１５９が含まれている。フォーカスサーボ追従回路１５７が活性化すると、回転している光記録媒体１００の記録面にフォーカスがかかった状態となり、トラッキングサーボ追従回路１５８が活性化すると、光記録媒体１００の偏芯している信号トラックに対して、レーザビームのスポットが自動追従状態となる。フォーカスサーボ追従回路１５７及びトラッキングサーボ追従回路１５８には、フォーカスゲインを自動調整するためのオートゲインコントロール機能及びトラッキングゲインを自動調整するためのオートゲインコントロール機能がそれぞれ備えられている。また、レーザコントロール回路１５９は、レーザ駆動回路１５５により供給されるレーザ駆動信号を生成する回路であり、再生出力を一定に保つために、適切なレーザ駆動信号の生成を行う。
【００７０】
これらフォーカスサーボ追従回路１５７、トラッキングサーボ追従回路１５８及びレーザコントロール回路１５９については、コントローラ１５４内に組み込まれた回路である必要はなく、コントローラ１５４と別個の部品であっても構わない。さらに、これらは物理的な回路である必要はなく、コントローラ１５４内で実行されるソフトウェアであっても構わない。なお、光再生装置１５０は記録機能を備えた光記録再生装置に含まれていても、あるいは記録機能を有していない再生専用の装置であってもよい。
【００７１】
図９は、本実施の形態による他の光ピックアップ装置の模式構造図である。図９に示す光ピックアップ装置２０は、２波長半導体レーザ２１から射出された光ビームの光軸を、対物レンズ２６から光検出器２８に至る反射光の光軸に直交する方向に対して所定の角度傾けることで、光ピックアップ装置２０の幅方向（反射光側の光学系の光軸に直交する方向）の寸法を小さくして、光ピックアップ装置２０のさらなる小型化を図ったものである。
【００７２】
この光ピックアップ装置２０の構成及び作用は、図３に示した光ピックアップ装置１０と基本的に同じである。なお図９では、２波長半導体レーザ２１から射出されたレーザ光が位相差板２２で反射して２波長半導体レーザ２１に戻ることを防止するために位相差板２２を傾けて配置した例を示している。符号２１ａはレーザ光が射出するレーザ窓である。符号ＬＡは、第１の発光点２１ｄと第２の発光点２１ｅとの間隔である。符号ＬＢは各受光部２８ａ、２８ｂの間隔である。
【００７３】
この光ピックアップ装置２０では、ビームスプリッタ２４として平行平板形状の基材を用いている。ビームスプリッタ２４の一方の面（２波長半導体レーザ２１側の面）２４ａにはハーフミラー膜が形成されている。また、ビームスプリッタ板２４の他方の面（光検出器２８側の面）２４ｂには有害光反射防止膜が形成されている。
【００７４】
２波長半導体レーザ２１から射出された光ビームは、位相差板２２、回折格子２３ａ，２３ｂを介してビームスプリッタ２４の一方の面２４ａに入射し、一部がビームスプリッタ２４で反射する。ビームスプリッタ板２４で反射した光ビームは、コリメータレンズ２５で平行光線束に変換され、立ち上げミラー（不図示）によって紙面垂直方向に折り曲げられる。さらに光ビームは、対物レンズ（２重焦点回折型対物レンズ）２６で集束され、不図示の光記録媒体の情報記録面に光ビームスポットとして照射される。
【００７５】
不図示の光記録媒体で反射された反射光ビームは、対物レンズ２６、立ち上げミラー（不図示）、コリメータレンズ２５を経由してビームスプリッタ２４に至り、一部がビームスプリッタ２４を透過する。ビームスプリッタ２４を透過した反射光ビームは、光検出器２８の各受光部２８ａ，２８ｂに入射し、各受光部２８ａ，２８ｂによって反射光ビーム強度が検出される。
【００７６】
図３及び図９に示した光ピックアップ装置１０，２０は、不図示の光学ベースに、光源である２波長半導体レーザ１１，２１と、位相差板１２，２２と、回折格子１３ａ，１３ｂ，２３ａ，２３ｂと、ビームスプリッタ１４，２４と、コリメータレンズ１５，２５と、図示を省略した立ち上げミラーと、対物レンズ１６，２６と、光検出器取付板１７，２７に取り付けられた光検出器１８，２８とを取り付けて製造される。
【００７７】
図１０は光検出器の取付位置の調整方法の一例を示す斜視図、図１１は光検出器の取付部の構造の一例を示す図であり、図１１（ａ）は平面図、図１１（ｂ）は側面図、図１１（ｃ）は光検出器取付板に対する光検出器の取付構造を示す図、図１２は本実施の形態による光検出器取付位置調整装置のブロック構成図である。
【００７８】
図１１（ｃ）に示すように、光検出器１８が実装された基板（ＣＯＢ基板）４１にフレキシブル配線板（ＦＰＣ）４２を接続した光検出器組立が光検出器取付板１７に取り付けられている。光検出器１８の各端子（不図示）はＣＯＢ基板４１の各端子（不図示）に電気的にそれぞれ接続されている。そして、ＣＯＢ基板４１の各端子（不図示）とフレキシブル配線板４２に設けられた各端子（不図示）とが電気的にそれぞれ接続されている。これにより、光検出器１８の各受光素子パターン部の光検出出力信号がフレキシブル配線板４２を介して外部に取り出される。
【００７９】
図１１（ｂ）に示すように、光検出器取付板１７には少なくとも２箇所に孔１７ａ，１７ｂが設けられている。本実施の形態では、第１の孔１７ａを各受光部１８ａ，１８ｂの中心位置（設計上の中心位置）に対応する位置に形成し、第２の孔１７ｂを光検出器取付板１７の隅部に形成している。なお、各孔１７ａ，１７ｂは光検出器取付板１７を貫通するいわゆる透孔ではなく、穴状の溝であってもよい。さらに、孔の代替として凸部を設けるようにしてもよい。また、孔又は凸部を１箇所に設け、光検出器取付板１７の側辺部に例えばＵ字状やＶ字状の切欠部を設けるようにしてもよい。なお、本実施の形態では、第１の孔１７ａを各受光部１８ａ，１８ｂの中心位置に設けたが、必ずしも各受光部１８ａ，１８ｂの中心位置に設ける必要はない。孔，溝，切欠部等の代わりに切り起こし部を設けるようにしてもよい。
【００８０】
図１１（ａ）に示すように、光検出器１８を装着した光検出器取付板１７の左右両端側を光学ベースの各取付部１９Ｌ，１９Ｒの側端面に当接させた状態で、光検出器取付板１７の位置を調整することで光検出器１８の取付位置を調整する。そして、取付位置の調整が完了した後に、本実施の形態では、光検出器取付板１７の左右の側端面と各取付部１９Ｌ，１９Ｒの側端面と各当接部に接着剤を塗布して光検出器取付板１７を固定する。
【００８１】
図１０に示すように、光検出器１８の取付位置の調整は、光検出器取付板１７に形成された各孔１７ａ，１７ｂに係合する各係合ピン３１，３１を有する位置調整治具３２を用いて行う。具体的には、各係合ピン３１，３１の先端を各孔１７ａ，１７ｂに挿入し、各係合ピン３１，３１を介して光検出器取付板１７を各取付部１９Ｌ，１９Ｒの側端面に当接させた状態で、位置調整治具３２をＸ方向（図示の左右方向）、Ｙ方向（図示の上下方向）に移動させ、さらに、位置調整治具３２をθ方向（光検出器を回転させる方向）に回転させることで、光検出器１８の取付位置を調整する。
【００８２】
図１２に示すように光検出器取付位置調整装置３０は、光検出器取付板１７との係合部となる各係合ピン３１，３１を所定の位置に備えた取付位置調整治具３２と、この取付位置調整治具３２の移動・回転を行う取付位置調整機構３３と、取付位置調整制御装置３９とを有している。
【００８３】
取付位置調整機構３３は、取付位置調整治具３２を回転駆動させる回転駆動機構３４と、この回転駆動機構３４が取り付けられた３軸移動テーブル３５と、３軸移動テーブル３５を水平方向（左右方向：Ｘ方向）へ移動させる水平方向駆動機構３６と、３軸移動テーブル３５を垂直方向（上下方向：Ｙ方向）へ駆動する垂直方向駆動機構３７と、３軸移動テーブル３５を前後方向（Ｚ方向）へ移動させる前後方向駆動機構３８とを備える。３軸移動テーブル３５を前方向に移動させることで、取付位置調整治具３２の先端側に取り付けた各係合ピン３１，３１を光検出器取付板１７の光検出器１８の取付位置及び向きを調整するための機構である各孔１７ａ，１７ｂに係合させることができる。また、３軸移動テーブル３５を後方向に移動させることで、光検出器取付板１７との係合を解除することができる。
【００８４】
回転駆動機構３４は、ステッピングモータと減速ギア機構（共に不図示）等を備える。この回転駆動機構３４は、ステッピングモータを数ステップ乃至数十ステップ駆動することで、取付位置調整治具３２を１°回転させる。
【００８５】
取付位置調整制御装置３９は、光検出器１８の各受光素子パターン部の各検出出力に基づいて各戻り光に対する光検出器１８の取付位置のずれ及び光検出器１８の取付方向のずれ（傾き）を求め、求めたずれ方向やずれ量に基づいて各駆動機構３４，３６，３７，３８を介して位置調整治具３２の位置及び向き（回転方向の向き）を調整することで、光検出器１８の各受光部１８ａ，１８ｂの略中心位置に各系統の戻り光の光ビームスポットが配置されるように自動調整する。
【００８６】
次に、光検出器１８の取付位置のずれ及び光検出器１８の取付方向のずれ（傾き）を求める方法について説明する。図１３は各戻り光の光ビームスポットに対する光検出器の取付傾き（取付位置の回転方向の位置ずれ）を検出する方法の一例を示す説明図である。光検出器１８の光軸に対する回転方向の位置ずれの検出には、各メインビーム受光素子パターン部１８ａ１，１８ｂ１を用いて行う。
【００８７】
まず、いずれか一方のメインビーム受光素子パターン部の４つのメインビーム受光素子パターン（ここではＤＶＤ用受光部１８ｂのメインビーム受光素子パターン部１８ｂ１の４つのメインビーム受光素子パターンａ，ｂ，ｃ，ｄ）の光出力Ｉａ，Ｉｂ，Ｉｃ，Ｉｄの光出力バランスを検出して、ＤＶＤ用戻り光の光ビームスポットとメインビーム受光素子パターン部１８ｂ１の中心位置とのずれを求める。
【００８８】
具体的には、４分割されたメインビーム受光素子パターンａ，ｂ，ｃ，ｄの中の上側の２つのメインビーム受光素子パターンａ，ｂの光出力の和（Ｉａ＋Ｉｂ）と下側２つのメインビーム受光素子パターンｃ，ｄの光出力の和（Ｉｃ＋Ｉｄ）との差｛（Ｉａ＋Ｉｂ）−（Ｉｃ＋Ｉｄ）｝を求める。求めた差｛（Ｉａ＋Ｉｂ）−（Ｉｃ＋Ｉｄ）｝の極性及び値から上下方向（Ｙ方向）のずれの方向及びずれ量を知ることができる。上記の差を求める代わりに、上側の２つのメインビーム受光素子パターンａ，ｂの光出力の和（Ｉａ＋Ｉｂ）と下側２つのメインビーム受光素子パターンｃ，ｄの光出力の和（Ｉｃ＋Ｉｄ）との比を求めるようにしてもよい。比を求めた場合は、求めた比が１以上であるか１以下であるかに基づいてずれの方向を知ることができ、求めた比の値に基づいてずれ量を知ることができる。
【００８９】
同様に、４分割されたメインビーム受光素子パターンａ，ｂ，ｃ，ｄの中の右側の２つのメインビーム受光素子パターンｂ，ｃの光出力の和（Ｉｂ＋Ｉｃ）と左側２つのメインビーム受光素子パターンａ，ｄの光出力の和（Ｉａ＋Ｉｄ）との差｛（Ｉｂ＋Ｉｃ）−（Ｉａ＋Ｉｄ）｝を求める。求めた差の｛（Ｉｂ＋Ｉｃ）−（Ｉａ＋Ｉｄ）｝の極性及び値から左右方向（Ｘ方向）のずれの方向及びずれ量を知ることができる。上記の差を求める代わりに、右側の２つのメインビーム受光素子パターンａ，ｂの光出力の和（Ｉｂ＋Ｉｃ）と左側２つのメインビーム受光素子パターンｃ，ｄの光出力の和（Ｉａ＋Ｉｄ）との比を求めるようにしてもよい。比を求めた場合は、求めた比が１以上であるか１以下であるかに基づいてずれの方向を知ることができ、求めた比の値に基づいてずれ量を知ることができる。
【００９０】
ＤＶＤ用戻り光の光ビームスポットの結像位置とメインビーム受光素子パターン部１８ｂ１の中心位置とのずれが求まると、そのずれを補正するように光検出器１８の取付位置を左右方向（Ｘ方向）及び上下方向（Ｙ方向）に調整する。これにより、図１３において仮想線で示したように、メインビーム受光素子パターン部１８ｂ１の中心位置からずれていたＤＶＤ用戻り光の光ビームスポットは、実線で示すように光ビームスポットの中心が４分割された各メインビーム受光素子パターンａ，ｂ，ｃ，ｄの略中心位置にくる。
【００９１】
次に、上記の光検出器１８の取付位置の左右方向（Ｘ方向）及び上下方向（Ｙ方向）の調整がなされた状態で、ＣＤ用受光部１８ａのメインビーム受光素子パターン部１８ａ１の４つのメインビーム受光素子パターンＡ，Ｂ，Ｃ，Ｄの光出力のバランスを検出する。
【００９２】
図１３に示すように、ＣＤ用戻り光の光ビームスポットが受光素子パターン部１８ａ１の上方側にずれている場合は、上側の２つのメインビーム受光素子パターンＡ，Ｂの光出力の和と下側の２つのメインビーム受光素子パターンＣ，Ｄの光出力の和との差｛（ＩＡ＋ＩＢ）−（ＩＣ＋ＩＤ）｝は正の値となる。これにより、光検出器１８の取付向きが右回転方向（時計回り方向）にずれていることが分かる。
【００９３】
ここで、光検出器１８の取付角度のずれ量と前記差｛（ＩＡ＋ＩＢ）−（ＩＣ＋ＩＤ）｝の値との関係を予め求め、その関係を表す式を登録しておくことで、前記差｛（ＩＡ＋ＩＢ）−（ＩＣ＋ＩＤ）｝から光検出器１８の取付角度のずれ量（補正すべき角度）を計算によって求めることができる。又は、光検出器１８の取付角度のずれ量と前記差｛（ＩＡ＋ＩＢ）−（ＩＣ＋ＩＤ）｝の値との関係をテーブルとして例えば不揮発性半導体メモリ等に格納しておけば、当該テーブルを参照することで、前記差｛（ＩＡ＋ＩＢ）−（ＩＣ＋ＩＤ）｝から光検出器１８の取付角度のずれ量（補正すべき角度）を求めることができる。
【００９４】
なお、前記差｛（ＩＡ＋ＩＢ）−（ＩＣ＋ＩＤ）｝の代わりに、上側の２つのメインビーム受光素子パターンＡ，Ｂの光出力の和（ＩＡ＋ＩＢ）と下側の２つのメインビーム受光素子パターンＣ，Ｄの光出力の和（ＩＣ＋ＩＤ）との比｛（ＩＡ＋ＩＢ）／（ＩＣ＋ＩＤ）｝に基づいて、光検出器１８の取付向きずれ方向及びずれ量（ずれ角度）を求めるようにしてもよい。
【００９５】
光検出器１８の取付向きのずれ方向及びずれ量（ずれ角度）が求まると、そのずれ量を補正するように、光検出器１８の取付向きを調整する。その後に、いずれか一方のメインビーム受光素子パターン部の４つのメインビーム受光素子パターン（ここではＤＶＤ用受光部１８ｂのメインビーム受光素子パターン部１８ｂ１の４つのメインビーム受光素子パターンａ，ｂ，ｃ，ｄ）の光出力Ｉａ，Ｉｂ，Ｉｃ，Ｉｄのバランスを検出し、ＤＶＤ用戻り光の光ビームスポットがメインビーム受光素子パターン部１８ｂ１の中心位置に配置されるように、光検出器１８の位置を左右方向（Ｘ方向）及び上下方向（Ｙ方向）に調整する。これにより、ＤＶＤ用戻り光の光ビームスポットがメインビーム受光素子パターン部１８ｂ１の略中心位置に配置されるように、かつ、ＣＤ用戻り光の光ビームスポットがメインビーム受光素子パターン部１８ａ１の略中心位置に配置されるように調整される。
【００９６】
上記の光検出器１８の取付位置の調整は、図１２に示した光検出器取付位置調整装置３０を用いて、光ピックアップ装置１０を不図示の光ピックアップ装置装着治具に装着して行う。この際、調整用ディスク５１を用いて戻り光を発生させる。調整用ディスク５１は、ＤＶＤ用の読取り光を光反射領域α，βで反射させてＤＶＤ用の戻り光を発生させ、ＣＤ用の読取り光を光反射領域β，γで反射させてＣＤ用の戻り光を発生させる。
【００９７】
まず、光ピックアップ装置装着治具のスピンドルモータに取り付けられたテーブル（図示せず）上に調整用ディスク５１を載置する。次に、調整用ディスク５１の光反射領域β上に、調整用ディスク５１表面に垂直方向に揺動させた状態で対物レンズ１６を配置する。次に、２波長半導体レーザ１１からＤＶＤ用の光ビームとＣＤ用の光ビームとを同時に射出させる。水平方向駆動機構３６と垂直方向駆動機構３７とを駆動させ、ＤＶＤ用受光部１８ｂの略中心位置にＤＶＤ用の光ビームスポットが配置されるようにする。光ビームスポットがＤＶＤ用受光部１８ｂの略中心位置に配置されると、再生信号出力Ｖａ＋Ｖｂ＋Ｖｃ＋Ｖｄ（メインサム信号）は最大になり、フォーカス誤差検出出力｛（Ｖａ＋Ｖｃ）−（Ｖｂ＋Ｖｄ）｝は対称性のよいＳ字になる。
【００９８】
次に、回転駆動機構３４を駆動させ、ＣＤ用受光部１８ａの略中心位置にＣＤ用の光ビームスポットが配置されるようにする。光ビームスポットがＣＤ用受光部１８ａの略中心位置に配置されると、再生信号出力ＶＡ＋ＶＢ＋ＶＣ＋ＶＤ（メインサム信号）は最大になり、フォーカス誤差検出出力｛（ＶＡ＋ＶＣ）−（ＶＢ＋ＶＤ）｝は対称性のよいＳ字になる。
【００９９】
ＤＶＤ及びＣＤの再生信号を参照しながら、回転駆動機構３４、水平方向駆動機構３６及び垂直方向駆動機構３７を駆動させ、ＤＶＤ及びＣＤともに最適な再生信号が得られるように光検出器１８を位置調整する（ＰＤ粗調）。次に、調整用ディスク５１の光反射領域βにＤＶＤ用の光ビームを照射しフォーカスサーボをかける。このとき、ＤＶＤ側のメインビームの光出力バランスを検出し、光出力バランスが０になるように、水平方向駆動機構３６及び垂直方向駆動機構３７を駆動して光検出器１８を位置調整する。次に光反射領域βにＣＤ用の光ビームを照射しフォーカスサーボをかける。このとき、ＣＤ側のメインビームの光出力バランスを検出し、光出力バランスが０になるように回転駆動機構３４を駆動して光検出器１８を位置調整する（ＰＤ微調）。
【０１００】
次に、調整用ディスク５１の光反射領域γにＣＤ用の光ビームを照射しフォーカスサーボをかける。この状態で、最適なトラッキング誤差検出出力が得られるように、回折格子１３ｂを回転させてサブビームの位相を調整する。次に、調整用ディスク５１の光反射領域αにＤＶＤ用の光ビームを照射しフォーカスサーボをかけて、この状態で最適なトラッキング誤差検出出力が得られるように、回折格子１３ａを回転させてサブビームの位相を調整する。次に、トラッキングサーボをかける。この状態で最適な再生信号が得られるように、対物レンズ１６の傾角及びフォーカスを調整する。
【０１０１】
なお、図１２に示した光検出器取付位置調整装置３０を用いずに、手動等で光検出器１８の取付位置の調整を行うようにしてもよい。この場合は、画像表示装置の画面上に、各メインビーム受光素子パターン部１８ａ１，１８ｂ１の形状を表示するとともに、各メインビーム受光素子パターン部１８ａ１，１８ｂ１の各光検出出力Ｉａ〜Ｉｄ，ＩＡ〜ＩＤに基づいて求めた各戻り光の光ビームスポットの位置を表示させ、さらに、光検出器１８又は光検出器取付板１７を移動させる方向及び移動量並びに回転方向及び回転角度を表示させる。移動させる方向は画面上に矢印等で表示し、その矢印の長さで移動量を表現するようにしてもよい。回転方向も同様に矢印で表示し、その矢印長さや太さ等で回転させる角度を表現するようにしてもよい。
【０１０２】
図１３では、ＤＶＤ用戻り光の光ビームスポットがＤＶＤ用受光部１８ｂのメインビーム受光素子パターン１８ｂ１の中心に配置されるように光検出器１８の取付位置を調整した後に、ＣＤ用受光部１８ａのメインビーム受光素子パターン１８ａ１の光出力バランスを検出し、検出された光出力バランスに基づいて光検出器１８の取付傾きを検出してその傾きを補正する方法を示したが、ＣＤ用戻り光の光ビームスポットがＣＤ用受光部１８ａのメインビーム受光素子パターン１８ａ１の中心に配置されるように光検出器１８の取付位置を調整した後に、ＤＶＤ用受光部１８ｂのメインビーム受光素子パターン１８ｂ１の光出力バランスを検出し、検出された光出力バランスに基づいて光検出器１８の取付傾きを検出してその傾きを補正するようにしてもよい。
【０１０３】
図１４は各戻り光の光ビームスポットに対する光検出器の取付傾き（取付位置の回転方向の位置ずれ）を検出する方法の他の例を示す説明図である。まず、図１２（ａ）に示すように、ＤＶＤ用戻り光の光ビームスポットがＤＶＤ用メインビーム受光素子パターン部１８ｂ１の略中央に配置されるように光検出器１８の位置を調整する。なお、ここでは４分割されたメインビーム受光素子パターンａ，ｂ，ｃ，ｄの中の上側の２つのメインビーム受光素子パターンａ，ｂの光出力の和（Ｉａ＋Ｉｂ）と下側２つのメインビーム受光素子パターンｃ，ｄの光出力の和（Ｉｃ＋Ｉｄ）との差｛（Ｉａ＋Ｉｂ）−（Ｉｃ＋Ｉｄ）｝がゼロになるように上下方向（Ｙ方向）の取付位置が調整されれば、光ビームスポットの位置が左右方向（Ｘ方向）にずれていてもよい。
【０１０４】
次に、上記差｛（Ｉａ＋Ｉｂ）−（Ｉｃ＋Ｉｄ）｝がゼロになるように上下方向（Ｙ方向）の取付位置が調整された状態で、ＣＤ用メインビーム受光素子パターン部１８ａ１の各光検出出力ＩＡ〜ＩＤに基づいて、ＣＤ用戻り光の光ビームスポットの位置を認識する。ここでは、ＣＤ用メインビーム受光素子パターン部１８ａ１の中心位置に対してＣＤ用戻り光の光ビームスポットが上方向にずれているか下方向にずれているかを検出するだけでよい。
【０１０５】
次に、検出したずれ方向を補正する方向へ光検出器１８の取付位置を上又は下方向（Ｙ方向）へ移動させる。ここでは、４分割されたメインビーム受光素子パターンＡ，Ｂ，Ｃ，Ｄの中の上側の２つのメインビーム受光素子パターンＡ，Ｂの光出力の和（ＩＡ＋ＩＢ）と下側２つのメインビーム受光素子パターンＣ，Ｄの光出力の和（ＩＣ＋ＩＤ）との差｛（ＩＡ＋ＩＢ）−（ＩＣ＋ＩＤ）｝がゼロになるまで、光検出器１８の取付位置をＹ方向へ移動する。そして、上記差｛（ＩＡ＋ＩＢ）−（ＩＣ＋ＩＤ）｝がゼロとなるまでのＹ方向の移動距離ΔＹを求める。
【０１０６】
図１４（ｂ）に示すように、Ｙ方向の移動距離ΔＹが求まれば、各受光部１８ａ，１８ｂ間の距離ＬＢとＹ方向の移動距離ΔＹとの関係から光検出器１８の取付向きの傾き角度θが求まる（θ＝ｔａｎ（ΔＹ／ＬＢ））。
【０１０７】
そこで、求めた傾き角度θだけ光検出器１８の取付向きを補正した後に、光検出器１８の取付位置を左右方向（Ｘ方向）及び上下方向（Ｙ方向）に調整することで、各戻り光の光ビームスポットを各受光部１８ａ，１８ｂの略中心位置に配置されるように調整することができる。
【０１０８】
なお、求めた傾き角度θだけ光検出器１８の取付向きを補正した後に、前記Ｙ方向の移動量ΔＹの１／２だけ光検出器１８の取付位置を上下方向（Ｙ方向）に戻し、その状態でいずれか一方の受光部１８ａ，１８ｂの光検出出力バランスを検出して光検出器１８の取付位置を左右方向（Ｘ方向）及び上下方向（Ｙ方向）に調整するようにしてもよい。
【０１０９】
図１５は各戻り光の光ビームスポットに対する光検出器の取付傾き（取付位置の回転方向の位置ずれ）を検出する方法のさらに他の例を示す説明図である。図１５に示す第３の取付傾き検出方法は、ＤＶＤ用のメインビーム受光素子パターン部１８ｂ１の各メインビーム受光素子ａ，ｂ，ｃ，ｄの光出力バランスとＣＤ用のメインビーム受光素子パターン部１８ａ１の各メインビーム受光素子Ａ，Ｂ，Ｃ，Ｄの光出力バランスとを検出して、光検出器１８の取付向きのずれ方向を求めるとともに、ずれ量（ずれ角度）を推定するようにしている。なお、ずれ量の推定を行わずに、光検出器１８の取付向きのずれ方向のみを検出し、そのずれ方向を補正する方向に光検出器１８の取付向きを補正するようにしてもよい。
【０１１０】
そして、光検出器１８の取付向きを補正した後に、例えばＤＶＤ用のメインビーム受光素子パターン部１８ｂ１の各メインビーム受光素子ａ，ｂ，ｃ，ｄの光出力バランスを検出して、光検出器１８の取付位置を左右方向（Ｘ方向）及び上下方向（Ｙ方向）に調整することで、各戻り光の光ビームスポットを各メインビーム受光素子パターン部１８ａ１，１８ｂ１のそれぞれ略中央に位置させることができる。
【０１１１】
図１３乃至図１５に示したように、光検出器１８の取付向きのずれ（回転方向の位置ずれ）θを検出し、又は、取付向きのずれの方向を検出し、その取付向きのずれを補正した後に、光検出器１８の取付位置を左右方向（Ｘ方向）及び上下方向（Ｙ方向）に再度調整することで、各戻り光の光ビームスポットを各メインビーム受光素子パターン部１８ａ１，１８ｂ１のそれぞれ略中央に位置させることができる。
【０１１２】
上記のような本実施の形態による光ピックアップ装置の調整方法を用いて光検出器１８の取付位置を調整する工程を経て、光ピックアップ装置が製造される。
【０１１３】
本実施の形態では、光検出器１８の取付位置を調整する際に、調整用ディスク５１の光反射領域βに２波長の光レーザを同時に照射することにより、光検出器１８にはＤＶＤ用及びＣＤ用の両戻り光の光ビームスポットが形成される。したがって、ＣＤ側の受光部の位置調整を行う際と、ＤＶＤ側の受光部の位置調整を行う際との間では、調整用ディスク５１と光ピックアップ装置１０とを相対的に移動させる必要がない。このため、振動等により位置調整された光検出器１８が移動してずれてしまうおそれがない。また本実施の形態では、光検出器１８の位置調整に用いる調整用ディスク５１の光反射領域βでは、光反射膜５６，５７が鏡面状に形成されている。したがって、情報信号がないためノイズが低減され光検出器１８の取付位置を短時間で効率的に調整でき、また光検出器１８の位置精度が向上する。
【０１１４】
次に、本実施の形態による光ピックアップ装置の調整用ディスク及び光ピックアップ装置の調整方法の変形例について図１６を用いて説明する。図１６は、本実施の形態による光ピックアップ装置の調整用ディスクの構成の変形例を示しており、図２に対応する断面図である。図１６に示すように、本変形例による調整用ディスク５１は、光入射面５８に垂直方向に見ると、ディスクの面内方向（半径方向）に４つの光反射領域α１，α２，β，γに分割されている。光反射領域α１は例えば半径２４ｍｍから３２ｍｍまでの範囲であり、光反射領域α２は例えば半径３２ｍｍから４０ｍｍまでの範囲である。光反射領域βは例えば半径４０ｍｍから４５ｍｍまでの範囲であり、光反射領域γは例えば半径４５ｍｍから５８ｍｍまでの範囲である。透明基板５２裏面の光反射領域α１には、ＤＶＤ−ＲＯＭフォーマットの信号（アドレスピットなし）に対応するピットが形成されている。透明基板５２裏面の光反射領域α２には、記録容量が片面４．７ＧＢであるバージョン２．０のＤＶＤ−ＲＡＭフォーマットのトラック溝（アドレスピットなし）が形成されている。
【０１１５】
本変形例による調整用ディスク５１を用いて光ピックアップ装置を調整する際には、上述のように調整用ディスク５１の光反射領域γにＣＤ用の光ビームを照射しフォーカスサーボをかけ、回折格子１３ｂを回転させてサブビームの位相を調整する手順の後に、調整用ディスク５１の光反射領域α２にＤＶＤ用の光ビームを照射しフォーカスサーボをかける。この状態で最適なトラッキングエラー信号が得られるように、回折格子１３ａを回転させてサブビームの位相を調整する。
【０１１６】
次に、調整用ディスク５１の光反射領域α１にＤＶＤ用の光ビームを照射しフォーカス・トラッキングサーボをかける。この状態で最適な再生信号が得られるように、対物レンズ１６の傾角及びフォーカスを調整する。本変形例によっても上記実施の形態と同様の効果が得られる。
【０１１７】
次に、本実施の形態による光ピックアップ装置の調整用ディスク及び調整方法の他の変形例について説明する。本変形例では、透明基板５２裏面の光反射領域α１に、ＤＶＤ−ＲＯＭフォーマットの信号（アドレスピットあり）に対応するピットが形成されている。透明基板５２裏面の光反射領域α２には、記録容量が片面４．７ＧＢであるバージョン２．０のＤＶＤ−ＲＡＭフォーマットのトラック溝（アドレスピットあり）が形成されている。
【０１１８】
本変形例による調整用ディスク５１を用いて光ピックアップ装置を調整する際には、上述のように調整用ディスク５１の光反射領域γにＣＤ用の光ビームを照射しフォーカスサーボをかけ、回折格子１３ｂを回転させてサブビームの位相を調整する手順の後に、調整用ディスク５１の光反射領域α１にＤＶＤ用の光ビームを照射しフォーカス・トラッキングサーボをかける。この状態で最適な再生信号が得られるように、対物レンズ１６の傾角及びフォーカスを調整する。次に、調整用ディスク５１の光反射領域α２にＤＶＤ用の光ビームを照射しフォーカスサーボをかける。この状態で最適なトラッキングエラー信号が得られるように、回折格子１３ａを回転させてサブビームの位相を調整する。
【０１１９】
次に、調整用ディスク５１の光反射領域α２にＤＶＤ用の光ビームを照射しフォーカス・トラッキングサーボをかける。この状態で最適なアドレス信号が得られるように、光記録媒体の半径方向（ラジアル方向）における対物レンズ１６の位置を調整する。本変形例によっても上記実施の形態と同様の効果が得られる。
【０１２０】
本発明は、上記実施の形態に限らず種々の変形が可能である。
例えば、上記実施の形態では、波長依存性を有さない材料により光反射膜が形成されているが、本発明はこれに限られない。波長により反射率の異なる材料により光反射膜を形成しても構わない。
【０１２１】
【発明の効果】
以上の通り、本発明によれば、複数種類の光記録媒体を再生可能な光ピックアップ装置を容易で高効率かつ高精度に調整できる光ピックアップ装置の調整用ディスク、調整方法及び製造方法、並びにそれを用いた光再生装置の製造方法を実現できる。
【図面の簡単な説明】
【図１】本発明の一実施の形態による光ピックアップ装置の調整用ディスクを光入射面側から見た構成を示す図である。
【図２】図１のＡ−Ａ線で切断した調整用ディスクの半径方向の断面図である。
【図３】本発明の一実施の形態による光ピックアップ装置の模式構造図である。
【図４】本発明の一実施の形態による光ピックアップ装置で用いる光源を構成する２波長半導体レーザ（レーザダイオード）の概略構造を示す斜視図である。
【図５】本発明の一実施の形態による光ピックアップ装置で用いる対物レンズの構造図であり、図５（ａ）は正面図、図５（ｂ）は側面図である。
【図６】本発明の一実施の形態による光ピックアップ装置で用いる光検出器の受光部の受光素子パターン構成を示す図である。
【図７】本発明の一実施の形態による光ピックアップ装置で用いる光検出器（ＰＤ−ＩＣ）の動作様式の説明図である。
【図８】本発明の一実施の形態による光ピックアップ装置を搭載した光再生装置の概略構成を示す図である。
【図９】本発明の一実施の形態による他の光ピックアップ装置の模式構造図である。
【図１０】本発明の一実施の形態による光ピックアップ装置で用いる光検出器の取付位置の調整方法の一例を示す斜視図である。
【図１１】本発明の一実施の形態による光ピックアップ装置で用いる光検出器の取付部の構造の一例を示す図であり、図１１（ａ）は平面図、図１１（ｂ）は側面図、図１１（ｃ）は光検出器取付板に対する光検出器の取付構造を示す図である。
【図１２】本発明の一実施の形態による光検出器取付位置調整装置のブロック構成図である。
【図１３】本発明の一実施の形態による光ピックアップ装置の光検出器取付位置調整方法における各戻り光の光ビームスポットに対する光検出器の取付傾き（取付位置の回転方向の位置ずれ）を検出する方法の一例を示す説明図である。
【図１４】本発明の一実施の形態による光ピックアップ装置の光検出器取付位置調整方法における各戻り光の光ビームスポットに対する光検出器の取付傾き（取付位置の回転方向の位置ずれ）を検出する方法の他の例を示す説明図である。
【図１５】本発明の一実施の形態による光ピックアップ装置の光検出器取付位置調整方法における各戻り光の光ビームスポットに対する光検出器の取付傾き（取付位置の回転方向の位置ずれ）を検出する方法のさらに他の例を示す説明図である。
【図１６】本発明の一実施の形態による光ピックアップ装置の調整用ディスクの構成の変形例を示す断面図である。
【符号の説明】
１ａ　コンパクト・ディスク（ＣＤ）
１ｂ　デジタル・バーサタイル・ディスク（ＤＶＤ）
１０，２０　光ピックアップ装置
１１，２１　２波長半導体レーザ（複数の光源）
１１ｄ，１１ｅ，２１ｄ，２１ｅ　発光点
１２，２２　位相差板
１３ａ，１３ｂ，２３ａ，２３ｂ　回折格子
１４，２４　ビームスプリッタ（ビームスプリッタ板）
１５，２５　コリメータレンズ
１６，２６　対物レンズ（２重焦点回折型対物レンズ）
１７　光検出器取付板
１７ａ，１７ｂ　孔（光検出器の取付向きを調整するための機構）
１８，２８　光検出器（ＰＤ−ＩＣ）
１８ａ，２８ａ　ＣＤ用受光部
１８ｂ，２８ｂ　ＤＶＤ用受光部
１８ａ１，１８ｂ１　メインビーム受光素子パターン部
１８ａ２，１８ａ３，１８ｂ２，１８ｂ３　サブビーム受光素子パターン部
４１　ＣＯＢ基板
４２　フレキシブル配線板
５１　調整用ディスク
５２，５３　透明基板
５４　接着層
５５，５６，５７　光反射膜
５８　光入射面
５９　中心穴部
１００　光記録媒体
１５０　光再生装置
１５２　スピンドルモータ
１５４　コントローラ
１５５　レーザ駆動回路
１５６　レンズ駆動回路
１５７　フォーカスサーボ追従回路
１５８　トラッキングサーボ追従回路
１５９　レーザコントロール回路
α，β，γ，α１，α２　光反射領域
ＬＡ　発光点の間隔
ＬＢ　受光部の間隔
Ｘ　水平方向（左右方向）
Ｙ　垂直方向（上下方向）
Ｚ　前後方向（光検出器の光軸方向）
ΔＹ　Ｙ方向（上下方向）の移動距離
θ　光検出器の取付向きのずれ角度及び光検出器の光軸に対する回転方向
【図１】
2004039171.tif 000005
【図２】
2004039171.tif 000006
【図３】
2004039171.tif 000007
【図４】
2004039171.tif 000008
【図５】
2004039171.tif 000009
【図６】
2004039171.tif 000010
【図７】
2004039171.tif 000011
【図８】
2004039171.tif 000012
【図９】
2004039171.tif 000013
【図１０】
2004039171.tif 000014
【図１１】
2004039171.tif 000015
【図１２】
2004039171.tif 000016
【図１３】
2004039171.tif 000017
【図１４】
2004039171.tif 000018
【図１５】
2004039171.tif 000019
【図１６】
2004039171.tif 000020